(57)【要約】【課題】  ネット上に複数のタイルを配列固定されたネット付きタイルユニットを、接着剤層を介して基材に固定する際に、目地幅の微調整が可能なタイルユニットを提供する。【解決手段】  ネット上に複数のタイルが所定の目地間隔で配列されたネット付きタイルユニットであって、前記ネットは糸部と糸切断部とからなり、前記糸切断部はネット中に分散されて存在することを特徴とする。本タイルユニットの固定方法は、建築基材上に接着剤を塗布する工程を行った後に、本タイルユニットを接着剤塗布面上に貼着し、さらにその後にタイルの目地間隔を微調整する工程とを備えたことを特徴とする。【選択図】  図１
2005256487.tif 000002
【特許請求の範囲】
【請求項１】
ネット上に複数のタイルが所定の目地間隔で配列されたネット付きタイルユニットであって、前記ネットは糸部と糸切断部とからなり、前記糸切断部はネット中に分散されて存在することを特徴とするタイルユニット。
【請求項２】
ネット上に複数のタイルが所定の目地間隔で配列されたネット付きタイルユニットを、接着剤層を介して基材に固定した建材であって、
前記ネットは、糸部と糸切断部とからなり、
前記糸切断部はネット中に分散されて存在することを特徴とする建材。
【請求項３】
建築基材上に複数のタイルからなるタイルユニットを固定する方法であって、
前記基材上に接着剤を塗布する工程を行った後に、ネット上に複数のタイルを所定の目地間隔で配列固定されたネット付きタイルユニットを接着剤塗布面上に貼着し、さらにその後にタイルの目地間隔を微調整する工程とを備え、
前記タイルの目地間隔を微調整する工程を容易にするために、前記ネットは糸部と糸切断部とから構成し、かつ前記糸切断部はネット中に分散されて存在するようにしたことを特徴とする、建築基材上へのタイルユニットの固定方法。
【発明の詳細な説明】
【技術分野】
【０００１】
本発明は、ネットに複数のタイルを配列固定したタイルユニット、該タイルユニットを基材上に固定されてなる建材、および該タイルユニットを基材上に固定する方法に関する。 
【背景技術】
【０００２】
従来、タイルを所定の目地間隔でネットに配列固定したタイルユニットが提案されている。 このようなタイルユニットは、網目ネット上に複数タイルを所定の目地間隔で接着剤を使用して配列固定したタイルユニットを作製したもので、このタイルユニットのネット取付面側を建築基材上へ接着剤を用いて固定する方法も提案されている。（例えば、特許文献１参照。）
特許文献１では、タイルユニットの製造過程において、ネットをタイルに固定するための作業性を考慮して、ネットは張り腰のある硬いものを使用することが好ましいということが開示されている。
【０００３】
建築現場で外壁等の建築基材にタイルユニットを貼着する際、基材端部付近まで貼り進めていくと、タイルユニット外寸と基材の貼り代よりも若干大きくなってしまう場合がある。このような場合、タイルユニットが収まるように、タイルユニットのタイルを接着剤層に貼着しながら、タイル目地幅を僅かに狭めて目地幅を微調整する必要が生じる。ところが、タイルユニットのネットに上記のような硬いネットを使用すると、ネットにたわみが生じず、目地幅を狭めることが困難となる。さらに、上記のような硬いネットは伸縮性が低いため、タイルユニット貼着後、隣接する他のユニットとの位置を揃えるための微調整が困難となる。
【特許文献１】特開２０００−９６８０２号公報（第２−４頁）
【発明の開示】
【発明が解決しようとする課題】
【０００４】
本発明は、上記問題を解決するためになされたもので、本発明では、ネット上に複数のタイルを配列固定されたネット付きタイルユニットを、接着剤層を介して基材に固定する際に、目地幅の微調整が可能なタイルユニットを提供することを目的とする。
【課題を解決するための手段】
【０００５】
上記目的を達成するために、本発明は、ネット付きタイルユニットのネットが糸部と糸切断部とからなり、前記糸切断部はネット中に分散されて存在することを特徴とするタイルユニットを提供する。
また、本発明では、ネット上に複数のタイルが所定の目地間隔で配列されたネット付きタイルユニットを、接着剤層を介して基材に固定した建材であって、前記ネットは、糸部と糸切断部とからなり、前記糸切断部はネット中に分散されて存在することを特徴とする建材を提供する。
さらに本発明では、建築基材上に複数のタイルからなるタイルユニットを固定する方法であって、前記基材上に接着剤を塗布する工程を行った後に、ネット上に複数のタイルを所定の目地間隔で配列固定されたネット付きタイルユニットを接着剤塗布面上に貼着し、さらにその後にタイルの目地間隔を微調整する工程とを備え、前記タイルの目地間隔を微調整する工程を容易にするために、前記ネットは糸部と糸切断部とから構成し、かつ前記糸切断部はネット中に分散されて存在するようにしたことを特徴とする、建築基材上へのタイルユニットの固定方法を提供する。
【０００６】
ネットが部分的に切断されたタイルユニットを用いるため、建築基材上に該タイルユニットを固定する際に、ネットを介して相互に接続されたタイル同士を比較的弱い力でも近接可能にすることができる。すなわち、タイルユニット貼着時に目地幅を規定値よりも狭めてタイルを貼り着けることが可能となる。
【発明の効果】
【０００７】
本発明によれば、ネット上に複数のタイルを配列固定されたネット付きタイルユニットを、接着剤層を介して基材に固定する際に、目地幅の微調整が可能となる。
【発明を実施するための最良の形態】
【０００８】
以下に、本発明の具体的な実施形態について、図に基づき説明する。
図１は、本発明のネット付きタイルユニットにおける概略の構成を示した底面図である。網目状ネット１に複数の裏足のないタイル２が所定の目地間隔で配列固定されている。
【０００９】
ここで、ネット付きタイルユニットは、所定の目地間隔で配列したタイル上に結着剤を塗布しその上から網目状ネットを固定することにより得ることができる。また、ネット付きタイルユニットは、予め結着剤を塗布した網目状ネットを、所定の目地間隔で配列したタイル上に固定することによっても得ることができる。
【００１０】
網目状ネットを形成する糸の太さは、特に限定されないが、０．０５〜０．２５ｍｍが好ましい。０．０５ｍｍ以上であることで、網目状ネットを覆うように固定されたときにネットが効果的にアンカリングの効果をもたらす。また、０．２５ｍｍ未満、好ましくは０．２ｍｍ未満であることで、接着剤厚みを２ｍｍ以下に薄くしても充分な量の接着剤がネットを覆うようになり充分な接着剤強度が確保される。なお、網目状ネットを構成する糸が扁平な断面形状である場合は、ネットの厚みが上記範囲となるようにすれば良い。
【００１１】
ネットの網目形状は特に限定されず、正方形、三角形、菱形、六角形等いずれであっても良い。また、網目状ネットの目の大きさについては、特に限定されないが、５〜２０ｍｍが好ましい。５ｍｍ以上であることで、接着剤をタイル裏面に達する接着剤量を充分に確保できる。また、２０ｍｍ以下、好ましくは１５ｍｍ以下、より好ましくは１０ｍｍ未満であることで、ネットが効果的にアンカリングの効果をもたらす。
【００１２】
網目状ネットの材質は、例えば、ナイロン、ポリエステル、ビニロン、アクリル、ポリプロピレン、ポリエチレン、アラミド、木綿、人絹、ガラス繊維等が好適に利用できる。また、ネット表面には樹脂加工を施しているのが好ましい。この樹脂加工は網目のずれを防止するとともに、配列したタイルに接着する時の加工性が向上する。樹脂は特に限定されないが、例えば、アクリル樹脂、メラミン樹脂等が好適に利用できる。さらに前記樹脂には、タイルユニットを基材に固定するための接着剤と色を合致させるための着色料を添加することも可能である。
【００１３】
ネット、もしくは樹脂加工したネットは、タイルユニット施工時の位置調整を可能とするために適度の伸び性を有することが求められる。ネットの伸びは、ネットを構成する糸自体に伸びを備えるようにしても良いし、ネットの網目形状によって備えるようにしても良い。ネットの引っ張り破断伸びは、２０〜２００％の範囲が望ましい。
【００１４】
ネット、もしくは樹脂加工したネットは、タイルユニット施工時の位置調整を可能とするために適度の柔軟性を有することが求められる。本発明で使用可能なネットは、直径３０ｍｍの円柱に巻きつけることができ、放置した状態でロールを保持でき、かつ、ロールから引き出したネットにカールが残らないことが望ましい。このような特性を備えていれば、タイルユニットを連続生産することも可能となる。
【００１５】
ネット、もしくは樹脂加工したネットに伸び性、柔軟性を付与するために、ネットに糸切断部を設ける。図１に示した例では、ネット自体は伸縮性がほとんど無い太さ０．２ｍｍのガラス繊維に、アクリル樹脂を被覆したものを使用している。タイルユニットを壁に貼着した場合の水平方向、すなわちタイルの長手方向に相当する方向においては、糸が斜めに張られているためネット自体が特に糸切断部を設けなくても上記範囲の伸び特性を有する。一方タイルユニットを壁に施工した場合の上下方向、すなわちタイルの短辺方向に相当する方向においては、経糸によりネット自体の伸び性がほとんど無いため、主に経糸を適当な個所切断して糸切断部を形成することによって、ネットの伸び性を確保することができる。
【００１６】
図１において、糸切断部の間隔は縦、横いずれもおよそ２５ｍｍとした。糸切断部はネットに均一に分布するように設けることが、伸び性や柔軟性を均一に確保するためには望ましい。糸切断部の間隔や、単位面積あたりの数は、使用するタイルのサイズや重量、ネット材質、網目形状等の特性に応じて適宜決定することが求められるため特に限定されないが、上述したような効果をもたらすためにはタイルユニットに固定されているネット１００平方センチメートルあたり１個以上設けることが好ましく、上限は、施工時にタイルユニットを上端辺より持ち上げたときにどの位置においても目地間隔が目視で一定である状態を維持できる程度である。すなわち、タイルユニットの引っ張り強度は、タイルユニット上端辺を持ち上げたとき、重力によって変形せず、さらに力を加えたときに変形する程度をその下限とする。
【００１７】
タイルは、陶磁器製、ガラス製のセラミックスからなり、施釉タイルでも無釉タイルでも利用できる。例えば、造粒粉を作成後に金型中で乾式プレス成形し、その上に必要に応じて釉薬を塗布し焼成することで得られる。また、素地にフライアッシュバルーン、シラスバルーン、ガラスバルーンなどの軽量骨材や、炭化珪素などの発泡材を添加した軽量タイルも好適に利用できる。
さらに、タイル表面には光触媒層を設けても良い。そうすることで、タイル表面にセルフクリーニング性や抗菌性を付与することができる。
本例において、タイル裏面は裏足のない形状としたが、裏足の有無は特に限定されない。裏足のないタイルは合成樹脂を主成分とする接着剤で基材に貼着固定する工法において、接着剤の使用量が少なくて済むので好適に利用できる。
【００１８】
網目状ネット１上への裏足のないタイル２の固定には、例えば、水系の結着剤が好適に利用できる。結着剤の種類としては、例えば、エチレン酢酸ビニル、ポリアクリル、ポリウレタン等のエマルジョン結着剤が利用可能である。
【００１９】
タイル間の目地間隔は、１〜２０ｍｍが好ましい。１〜５ｍｍでは目地上のネットが目立ちにくく、５〜２０ｍｍでは建材におけるタイル使用重量が減少するため、壁基材上への施工が容易になる。
【００２０】
本発明のタイルユニットは、建築基材への貼着時に、目地幅微調整のため、相互にネットを介して隣接するタイルの間隔を手で押し狭めることができる程度の柔軟性を備えている。なお、タイルとネットとは結着剤で固定されているものとし、タイルとタイルの間隔は５ｍｍ以上とする。このようなタイルユニットを平板に載置し、手で容易に隣接するタイルの間隔を押し狭めることができるものとする。
【００２１】
次に、上記構成のタイルユニットの具体的な作製方法の例を示す。
特定のパターンケース内等で複数のタイルを所定の目地間隔で、上下方向に２列周期で同一パターンが現れるように配列する。その上にネットを長方形又は正方形を基本形状とし、ネットの横の長さは前記タイル列の長さと同一とし、ネットの縦の長さは最上部のタイルの上端部から最下部のタイルの下端部までの長さと略同一となるように配置した後に結着剤により固定し、パターンケースから引き抜く。尚、ネットには上記の配置をする前に予め接着剤を含浸させておいても良い。なお、糸切断部はネット所定のサイズにカットする際に設ける方法と、タイルとネットを固定後、目地部領域にのみ糸切断部を形成する方法と、どちらを採用しても良い。
【００２２】
上記構成のタイルユニットの作製方法における他の例を示す。
特定のパターンケース内等で複数のタイルを所定の目地間隔で、上下方向に２列周期で同一パターンが現れるように配列する。タイルが配列されたパターンケースをベルトコンベアに載置する。ベルトコンベア搬送方向の上流側にはロール状に巻かれたネットがあり、ロールより引き出されたネットは結着剤が塗布され、所定長さにカットされた後、搬送されたパターンケース内のタイル上に配置される。次いで熱ローラーでネットとタイルとを圧着させて固定し、パターンケースより引き抜く。
【００２３】
次に、上記構成のタイルユニットは、壁等の建築基材上へ固定して使用する。以下に、タイルユニットの建築基材への固定方法の例を示す。
まず、建築基材上のタイル貼りしたい部分に接着剤を塗布する。接着剤の塗布は櫛目鏝を用いる方法やビード塗布などの従来知られた方法の他、接着剤の粘弾性によってはローラーを用いて塗布することもできる。次いで、上記タイルユニットのネット取付面側を前記基材の接着剤塗布面に押圧する。この押圧の作業は水平方向に隣接するタイルユニットのタイルと直線状に整列するように、タイルの位置を微調整して行う。上記タイルユニットでは、この作業時にネットとタイルの接着強度が強いため、建築基材上へ施工する際にタイルユニットからタイルが部分的に脱落することがない。
【００２４】
接着剤には、アクリル系、エポキシ系、ウレタン系、アクリルシリコーン系、エポキシシリコーン系等の有機系接着剤単独あるいは複数組み合わせたものを利用でき、必要に応じて炭酸カルシウム、シリカ、炭酸マグネシウム、酸化カルシウム、酸化マグネシウム、ガラスバルーン、珪藻土、ムライト、カオリン、タルク、クレー、マイカ、ベントナイト、フライアッシュ、ケイ酸アルミニウム、酸化亜鉛等の無機充填剤やチタニア、カーボン等の無機顔料を添加したものを好適に利用できる。これらの材料は特に限定されず、所望の粘性、ＴＩ値に応じて公知の材料を適宜選択する。
【図面の簡単な説明】
【００２５】
【図１】本発明のネット付きタイルユニットにおける概略の構成を示した底面図である。
【符号の説明】
【００２６】
１…ネット
２…タイル
３…糸部
４…糸切断部
【図１】
2005256487.tif 000003